【手続補正書】
【提出日】平成25年12月13日(2013.12.13)
【手続補正１】
【補正対象書類名】特許請求の範囲
【補正対象項目名】全文
【補正方法】変更
【補正の内容】
【特許請求の範囲】
【請求項１】
コポリマーであって、
ａ）ペルフルオロポリエーテルセグメントを少なくとも１つ、及び式（Ｉａ）の１価のオキサリルアミノ含有基を少なくとも２つ含む、フッ素化オキサリルアミノ含有化合物であって、
【化１】
2013516516.tif 000001
前記フッ素化オキサリルアミノ含有化合物が式（Ｖ）、式（Ｖａ）、又は式（ＶＩ）、又は式（ＶＩａ）のものであり、
【化２】
2013516516.tif 000002
【化３】
2013516516.tif 000003
【化４】
2013516516.tif 000004
【化５】
2013516516.tif 000005
式中、
各Ｒ１は独立してアルキル、ハロアルキル、アラルキル、置換アラルキル、アルケニル、アリール、置換アリール、又は式−Ｎ＝ＣＲ４Ｒ５のイミノであり；
各Ｒ２は独立して水素、アルキル、アラルキル、又はアリールであり；
Ｒ４は水素、アルキル、アラルキル、置換アラルキル、アリール、又は置換アリールであり；
Ｒ５はアルキル、アラルキル、置換アラルキル、アリール、又は置換アリールであり；
Ｒｆは、ペルフルオロポリエーテル基であり；
各Ｙ１は独立して、第１基を第２基と連結する（ａ）少なくとも２個の炭素原子を有するヘテロアルキレン、（ｂ）少なくとも２個の炭素原子を有するアルキレン、又は（ｃ）カルボニルアミノ基であるか、あるいは（ｄ）これらの組み合わせであり、各前記第１基及び前記第２基は独立して少なくとも２個の炭素原子を有するヘテロアルキレン又は少なくとも２個の炭素原子を有するアルキレンであり；並びに
ｎは、少なくとも２以上の整数であり；
各Ｙ２は独立して単結合、少なくとも２個の炭素原子を有するヘテロアルキレン、少なくとも２個の炭素原子を有するアルキレン、又はこれらの組み合わせであり；並びに
各Ｙ３は独立して少なくとも２個の炭素原子を有するヘテロアルキレン、少なくとも２個の炭素原子を有するアルキレン、又はこれらの組み合わせであり；
ｑは、少なくとも１に等しい整数である、フッ素化オキサリルアミノ含有化合物；並びに
ｂ）式（ＩＩ）の第１アミン化合物であって、
【化６】
2013516516.tif 000006
式中、
Ｑ２は、第１基を第２基と連結する（ａ）アルカンラジカル、（ｂ）ヘテロアルカンラジカル、（ｃ）アレーンラジカル、（ｄ）カルボニルアミノ基、（ｅ）Ｒ７及びＲ７が結合している窒素を含んでいる複素環基の一部、又は（ｆ）これらの組み合わせであり、各第１基及び第２基は独立して、アルカンラジカル、ヘテロアルキレンラジカル、アレーンラジカル、又はこれらの組み合わせであり；
各Ｒ７は独立して水素、アルキル、アラルキル、又はアリールであるか、又はＱ２及びＲ７が結合している前記窒素を含んでいる複素環基の一部であり；並びに
ｎは、少なくとも２に等しい整数である、式（ＩＩ）の第１アミン化合物、を含む反応混合物の生成物を含む、コポリマー。
【請求項２】
コポリマーであって、
ａ）式（ＩＩＩ）の第２オキサリルアミノ含有化合物であって、
【化７】
2013516516.tif 000007
式中、
各Ｒ１は独立してアルキル、ハロアルキル、アラルキル、置換アラルキル、アルケニル、アリール、置換アリール、又は式−Ｎ＝ＣＲ４Ｒ５のイミノであり；
各Ｒ７は独立して水素、アルキル、アラルキル、又はアリールであるか、又はＱ及びＲ７が結合している窒素を含んでいる複素環基の一部であり；
Ｒ４は水素、アルキル、アラルキル、置換アラルキル、アリール、又は置換アリールであり；
Ｒ５はアルキル、アラルキル、置換アラルキル、アリール又は置換アリールであり；
Ｑは第１基を第２基と連結する（ａ）ヘテロアルキレン、（ｂ）アルキレン、（ｃ）アリーレン、（ｄ）カルボニルアミノ基、又は（ｅ）Ｒ７及びＲ７が結合している前記窒素を含んでいる複素環基の一部、又は（ｆ）これらの組み合わせであり、各第１基及び第２基は独立してヘテロアルキレン、アルキレン、アリーレン、又はこれらの組み合わせであり；並びに
ｐは少なくとも１に等しい整数である、式（ＩＩＩ）の第２オキサリルアミノ含有化合物；並びに
ｂ）ペルフルオロポリエーテルセグメントを有し、かつ第一級アミノ基を少なくとも２つ、第二級アミノ基を２つ、又はこれらの組み合わせを有するフッ素化アミンであって、前記フッ素化アミンが式（ＶＩＩ）又は式（ＶＩＩＩ）のものであり、
【化８】
2013516516.tif 000008
【化９】
2013516516.tif 000009
式中、
Ｒｆは、ペルフルオロポリエーテル基であり；並びに
各Ｙ１は独立して、第１基を第２基と連結する（ａ）少なくとも２個の炭素原子を有するヘテロアルキレン、（ｂ）少なくとも２個の炭素原子を有するアルキレン、（ｃ）カルボニルアミノ基、又は（ｄ）これらの組み合わせであり、前記第１基及び前記第２基はそれぞれ少なくとも２個の炭素原子を有するヘテロアルキレン又は少なくとも２個の炭素原子を有するアルキレンであり；
各Ｒ２は独立して水素、アルキル、アラルキル、又はアリールであり；
ｎは、少なくとも１に等しい整数であり；
各Ｙ２は独立して単結合、少なくとも２個の炭素原子を有するヘテロアルキレン、少なくとも２個の炭素原子を有するアルキレン、又はこれらの組み合わせであり；並びに
各Ｙ３は独立して少なくとも２個の炭素原子を有するヘテロアルキレン、少なくとも２個の炭素原子を有するアルキレン、又はこれらの組み合わせである、フッ素化アミン、を含む反応混合物の生成物を含む、コポリマー。
【請求項３】
式（ＩＶ）の基を少なくとも１つ含むコポリマーであって、
【化１０】
2013516516.tif 000010
式中、
Ｑ１はペルフルオロポリエーテルセグメントを含み、Ｑ１が式（Ｘ）又は式（ＸＩ）のものであり、
【化１１】
2013516516.tif 000011
【化１２】
2013516516.tif 000012
式中、
各Ｙ１は独立して、第１基を第２基と連結する（ａ）少なくとも２個の炭素原子を有するヘテロアルキレン、（ｂ）少なくとも２個の炭素原子を有するアルキレン基、又は（ｃ）カルボニルアミノ基であるか、あるいは（ｄ）これらの組み合わせであり、前記第１基及び前記第２基はそれぞれ少なくとも２個の炭素原子を有するヘテロアルキレン又は少なくとも２個の炭素原子を有するアルキレンであり；
各Ｙ２は独立して単結合、少なくとも２個の炭素原子を有するヘテロアルキレン、少なくとも２個の炭素原子を有するアルキレン、又はこれらの組み合わせであり；並びに
各Ｙ３は独立して少なくとも２個の炭素原子を有するヘテロアルキレン、少なくとも２個の炭素原子を有するアルキレン、又はこれらの組み合わせであり；
Ｒｆは、ペルフルオロポリエーテル基であり；
Ｑは第１基を第２基と連結する（ａ）ヘテロアルキレン、（ｂ）アルキレン、（ｃ）アリーレン、（ｄ）カルボニルアミノ基、（ｅ）Ｒ７及びＲ７が結合している窒素を含んでいる複素環基の一部、又は（ｆ）これらの組み合わせであり、各第１基及び第２基は独立してヘテロアルキレン、アルキレン、アリーレン、又はこれらの組み合わせであり；
各Ｒ２は独立して水素、アルキル、アラルキル、又はアリールであり；
各Ｒ７は独立して水素、アルキル、アラルキル、又はアリールであるか、又はＱ及びＲ７が結合している前記窒素を含んでいる複素環基の一部であり；
各変数記号ｑ、ｐ、及びｍは、独立して少なくとも１に等しい整数であり；並びに
各星印は、前記コポリマー内の他の基に結合する部位を記述する、コポリマー。
【請求項４】
コポリマーであって、
ａ）式（ＩＸ）のシュウ酸塩化合物であって、
【化１３】
2013516516.tif 000013
式中、
各Ｒ１は独立してアルキル、ハロアルキル、アラルキル、置換アラルキル、アルケニル、アリール、置換アリール、又は式−Ｎ＝ＣＲ４Ｒ５のイミノであり；
Ｒ４は水素、アルキル、アラルキル、置換アラルキル、アリール、又は置換アリールであり；並びに
Ｒ５はアルキル、アラルキル、置換アラルキル、アリール又は置換アリールである、式（ＩＸ）のシュウ酸塩化合物；
ｂ）ペルフルオロポリエーテルセグメントを有し、かつ第一級アミノ基を少なくとも２つ、第二級アミノ基を２つ、又はこれらの組み合わせを有するフッ素化アミンであって、前記フッ素化アミンが式（ＶＩＩ）又は式（ＶＩＩＩ）のものであり、
【化１４】
2013516516.tif 000014
【化１５】
2013516516.tif 000015
式中、
Ｒｆは、ペルフルオロポリエーテル基であり；並びに
各Ｙ１は独立して、第１基を第２基と連結する（ａ）少なくとも２個の炭素原子を有するヘテロアルキレン、（ｂ）少なくとも２個の炭素原子を有するアルキレン、（ｃ）カルボニルアミノ基、又は（ｄ）これらの組み合わせであり、前記第１基及び前記第２基はそれぞれ少なくとも２個の炭素原子を有するヘテロアルキレン又は少なくとも２個の炭素原子を有するアルキレンであり；
各Ｒ２は独立して水素、アルキル、アラルキル、又はアリールであり；
ｎは、少なくとも１に等しい整数であり；
各Ｙ２は独立して単結合、少なくとも２個の炭素原子を有するヘテロアルキレン、少なくとも２個の炭素原子を有するアルキレン、又はこれらの組み合わせであり；並びに
各Ｙ３は独立して少なくとも２個の炭素原子を有するヘテロアルキレン、少なくとも２個の炭素原子を有するアルキレン、又はこれらの組み合わせである、フッ素化アミン；並びに
ｃ）式（ＩＩ）の第１アミン化合物であって、
【化１６】
2013516516.tif 000016
式中、
Ｑ２は、第１基を第２基と連結する（ａ）アルカンラジカル、（ｂ）ヘテロアルカンラジカル、（ｃ）アレーンラジカル、（ｄ）カルボニルアミノ基、（ｅ）Ｒ７及びＲ７が結合している窒素を含んでいる複素環基の一部、又は（ｆ）これらの組み合わせであり、各第１基及び第２基は独立して、アルカンラジカル、ヘテロアルキレンラジカル、アレーンラジカル、又はこれらの組み合わせであり；
各Ｒ７基は独立して水素、アルキル、アラルキル、アリール、又はＱ２及びＲ７が結合している前記窒素を含んでいる複素環基の一部であり；並びに
ｎは、少なくとも２に等しい整数である、式（ＩＩ）の第１アミン化合物、を含む反応混合物の生成物を含む、コポリマー。